(57)【特許請求の範囲】
【請求項１】
複数の記録媒体を収納するディスク収納部を備え、収納された記録媒体の中から再生すべき記録媒体を所定の再生位置に移動させ、その再生位置で前記記録媒体に記録されたデータを再生する再生装置において、
前記ディスク収納部における前記再生すべき記録媒体の有無を検出する第１の検出手段と、
前記検出手段による検出の結果、前記再生すべき記録媒体が存在する場合には、前記再生位置に移動させて再生する再生制御手段と、
前記記録媒体の再生開始後、前記ディスク収納部に収納された当該再生中の記録媒体以外の記録媒体の有無をさらに検出する第２の検出手段と、
を備えたことを特徴とする再生装置。
【請求項２】
前記第２の検出手段は、前記再生すべき記録媒体が存在しない場合には、前記ディスク収納部に収納されたその他の記録媒体の有無をさらに検出し、前記再生制御手段は、前記ディスク収納部において検出されたその他の記録媒体を前記再生位置に移動させて再生することを特徴とする請求項１記載の再生装置。
【請求項３】
前記第１の検出手段及び前記第２の検出手段は、同一の検出手段として構成したことを特徴とする請求項１または２記載の再生装置。
【請求項４】
複数の記録媒体を収納するディスク収納部を備えた再生装置の再生方法において、
前記ディスク収納部における再生すべき記録媒体の有無を検出する第１の検出工程と、
前記第１の検出工程における検出の結果、前記再生すべき記録媒体が存在する場合には、前記再生位置に移動させて再生する再生制御工程と、
前記記録媒体の再生開始後、前記ディスク収納部に収納された当該再生中の記録媒体以外の記録媒体の有無をさらに検出する第２の検出工程と、
を含むことを特徴とする再生方法。
【請求項５】
前記第１の検出工程において、前記再生すべき記録媒体が存在しない場合には、前記第２の検出手段において、前記ディスク収納部に収納されたその他の記録媒体の有無をさらに検出し、前記再生制御工程において、前記ディスク収納部において検出されたその他の記録媒体を前記再生位置に移動させて再生することを特徴とする請求項４記載の再生方法。
【発明の詳細な説明】
【０００１】
【発明の属する技術分野】
本発明は、ディスク状の記録媒体を複数収納し、この収納したディスクの中から所定のディスクを抜き出し、再生するディスクチェンジャー付きの再生装置、に関する。
【０００２】
【従来の技術】
従来、ＣＤ（Compact Disc）、ＤＶＤ（Digital Versatile Disc）等のデータ記録用のディスク状記録媒体（以下、ディスクという）を複数収納し、これらの収納された複数のディスクの中から特定のディスクを抜き出して再生するディスクチェンジャー付きの再生装置が考案されている。
【０００３】
この種のディスクチェンジャー付き再生装置において、例えば、回転自在のトレイ上にディスク収納位置として、半径方向に伸びる複数の溝（以下、ストッカという）を形成し、このストッカにディスクを立脚させることによってディスクを保持して収納する回転式ドーナツ型ディスクトレイ（以下、ロータリートレイという）が考案されている。
【０００４】
ロータリートレイを有するディスクチェンジャー付きの再生装置には、ロータリートレイ上の各ストッカにディスクが収納されているか否かを検出するためのディスクセンサが設けられている。このディスクセンサによってロータリートレイ上の何れの位置にディスクが収納されているかを検出し、その検出データであるディスク有無データは、ディスクチェンジャー装置に内蔵されたマイクロコンピュータによって記憶され、管理されている。一般に、ディスクセンサによるディスクの有無検出動作は、ディスク交換がなされた後、すなわち、ディスク交換扉が閉じられた際に行われ、その都度、マイクロコンピュータ内のディスク有無データが更新される。
【０００５】
このような従来の再生装置においては、ディスク交換扉を開ける度に、マイクロコンピュータ内に記憶したディスク有無データを全てクリアするため、再びディスク交換扉を閉めた時に、ロータリートレイを一回転させてディスクセンサの前を通過させ、各ストッカにおけるディスクの有無検出を行っていた。この他に、以下に説明するような再生装置も考案されている。
【０００６】
図６は、従来のディスクチェンジャー付き再生装置のディスク収納部３０の概略構成を示す図である。このディスク収納部３０は、ディスク交換扉２４、ロータリートレイ３１、ストッカ３１Ａ、ディスククランプ３３、ディスクセンサ３４等を備え、複数のディスクＤを収納している。ディスク交換扉２４が開かれると、この再生装置におけるディスクＤの有無データはクリアされる。その後、ディスク再生の指示入力を受けると、例えば時計周りにロータリートレイ３１を回転させて、指示入力により指定されたディスクＤの収納されたストッカ３１Ａをディスククランプ３３の位置まで移動させ、ディスクＤを取り出して再生する。
【０００７】
しかし、図６に示すロータリートレイ３１内の網掛け部分に位置しているストッカ３１Ａは、上記のように時計回りにロータリートレイ３１を回した場合、ディスクセンサ３４を通過せず、指定されたディスクの有無データが得られないままディスククランプ３３に到達してしまう。そして、ディスクの有無に関係なく、ローディング動作を行い、ディスクＤがない場合にはサーボエラーとなり、次のディスクＤをローディングしていた。
【０００８】
【発明が解決しようとする課題】
上記説明したように、ディスク交換扉２４を閉めた後に、すべてのディスクの有無を検出してから再生を行う従来の再生装置においては、ディスク再生までに非常に時間がかかった。また、図６を参照して説明した例によると、ドアクローズ後、ディスクＤの有無検出を行っていないストッカ３１ＡからディスクＤをローディングすると、ディスクＤがない場合にサーボエラーとなり、改めて次のストッカ３１Ａから他のディスクＤのローディングを行い、ディスクＤの存在が検出されるまでローディングを繰り返すため、余分な時間がかかっていた。
【０００９】
そこで本発明の課題は、ディスクチェンジャー付きの再生装置において、ディスク再生までにかかる余分な時間を短縮し、ユーザにとっての利便性の高い再生装置を提供することである。
【００１０】
【課題を解決するための手段】
本発明は、上記課題を解決するため、以下のような特徴を備えている。
【００１１】
本発明は、
複数の記録媒体を収納するディスク収納部を備え、収納された記録媒体の中から再生すべき記録媒体を所定の再生位置に移動させ、その再生位置で前記記録媒体に記録されたデータを再生する再生装置において、
前記ディスク収納部における前記再生すべき記録媒体の有無を検出する第１の検出手段と、
前記検出手段による検出の結果、前記再生すべき記録媒体が存在する場合には、前記再生位置に移動させて再生する再生制御手段と、
前記記録媒体の再生開始後、前記ディスク収納部に収納された当該再生中の記録媒体以外の記録媒体の有無をさらに検出する第２の検出手段と、
を備えたことを特徴としている。
【００１２】
また、本発明は、
複数の記録媒体を収納するディスク収納部を備えた再生装置の再生方法において、
前記ディスク収納部における再生すべき記録媒体の有無を検出する第１の検出工程と、
前記第１の検出工程における検出の結果、前記再生すべき記録媒体が存在する場合には、前記再生位置に移動させて再生する再生制御工程と、
前記記録媒体の再生開始後、前記ディスク収納部に収納された当該再生中の記録媒体以外の記録媒体の有無をさらに検出する第２の検出手段と、
を備えたことを特徴としている。
【００１３】
【発明の実施の形態】
以下、図１〜図５を参照して、本発明に係る再生装置１の実施の形態について詳細に説明する。なお、従来の再生装置と同一の構成部分には同一の符号を付すこととする。
【００１４】
まず、構成を説明する。
図１は、本発明の一実施の形態における再生装置１の全体構成を示す概略図である。再生装置１は、前面の操作パネル２１には操作部２２、表示部２３、及びディスク交換扉２４を備え、本体内部には、例えば、最大２００枚のディスク状記録媒体（以下、ディスクＤという）の収納が可能なロータリートレイ３１（図２参照）を備える。
【００１５】
操作部２２は、ディスク交換扉２４の開閉を操作するオープンキー及びクローズキー、あるいはディスクＤの再生や停止等を操作する再生キー、停止キー、検索キー、ディスク指定のための数値キー等の各種操作キー群を備え、押下されたキーの押下信号をマイクロコンピュータ４０へ出力する。
【００１６】
表示部２３は、ＬＣＤ等により構成され、マイクロコンピュータ４０から出力される各種表示データを表示する。例えば、ロータリートレイ３１の回転動作の動作モード（回転移動中、ディスク検索中等）、ディスク交換扉２４の開閉状態、再生中の曲のトラック番号等の表示、ディスクＤの有無表示等を行う。
【００１７】
ディスク交換扉２４は、前方（外方）に倒れる前倒し式扉、あるいは左右に引き違い式に開閉される引き違い式扉等の開閉自在の扉であり、扉を開いた状態で本体前面の一部が開口して内部のロータリートレイ３１が露出するようになっている。ディスク交換扉２４を開放した状態でロータリートレイ３１に対するディスクＤの交換作業を行うことができる。このディスク交換扉２４は扉開閉モータ４９（図３参照）によって駆動されるものであり、扉開閉モータ４９はマイクロコンピュータ４０から供給される開閉制御信号に応じて動作する。
【００１８】
図２は、再生装置１に内設されるディスク収納部３０の概略構成を示す、ディスク収納部３０の上面図である。
図２に示すように、ディスク収納部３０は、ロータリートレイ３１、ロータリートレイモータ３２、ディスククランプ３３、ディスクセンサ３４が基板３５上に配設され、各部は図３に示すマイクロコンピュータ４０、またはこれらを駆動制御する各ドライバ４３，４４，４５に接続される。
【００１９】
図２に示すように、ロータリートレイ３１は、中心から半径方向に伸びる複数の溝の形成された回転盤上に、この溝に合わせてディスクＤを立脚させることによってディスクＤを保持して収納するものであり、基板３５中央部に装着される。以下、ディスクＤを収納する各溝をストッカ３１Ａという。また、ロータリートレイ３１は、このストッカ３１Ａの全てにディスクＤを保持させると、例えば２００枚のディスクＤを収納することが可能である。
【００２０】
また、ロータリートレイ３１の中央部には、ディスクＤをストッカ３１Ａに載置した際の位置決め用のストッパ３６が立設しており、このストッパの正面側の側面には、収納されたディスクＤをライトアップするためのＬＥＤ３７が設けられている。
【００２１】
ロータリートレイ３１は、ロータリートレイモータ３２による動力により、回転動作を行う。ロータリートレイモータ３２は、ロータリートレイ制御モータドライバ４４（図３参照）から出力される駆動制御信号に応じてロータリートレイ３１を回転駆動し、ロータリートレイ３１上の各ストッカ３１Ａを正確な搬送位置に搬送する。この各ストッカ３１Ａの正確な位置決めに際しては、光学式、磁気式等のセンサを併用してもよい。
【００２２】
ディスククランプ３３は、ディスククランプ制御モータドライバ４５（図３参照）から出力される制御信号に応じて、選択されたディスクＤをロータリートレイ３１から１枚抜き出し、このディスクＤを再生位置にセットする。また、再生動作が終了すると、再びロータリートレイ３１の元のストッカ３１Ａに収納する。
【００２３】
ディスクセンサ３４は、フォトカプラによって構成され、ロータリートレイ３１の各ストッカ３１Ａに載置されたディスクＤの有無を検出する。ディスクセンサ３４は、第１の検出手段及び第２の検出手段としての機能を有する。
なお、本実施の形態においては、第１の検出手段及び第２の検出手段が同一である例について説明するが、再生装置１に複数のセンサ等を設け、異なる構成部が個別に第１の検出手段及び第２の検出手段として機能するように構成してもよい。
【００２４】
図３は、再生装置１の内部回路を示す概略ブロック図である。
図３に示すように、再生装置１は、マイクロコンピュータ４０、操作部２２、表示部２３、ディスクセンサ３４、ＬＥＤ３７、ロータリートレイモータ３２及びこれを駆動制御するロータリートレイ制御モータドライバ４４、扉開閉モータ４９及びこれを駆動制御する扉開閉モータドライバ４３、ディスククランプ３３及びこれを駆動制御するディスククランプ制御モータドライバ４５、ディスクＤの再生系であるＤＳＰ４６及びピックアップユニット４７によって構成される。
【００２５】
マイクロコンピュータ４０は、操作部２２から入力される操作信号に従って、当該再生装置１の各部の動作を制御し、処理結果をマイクロコンピュータ内の図示しないＲＡＭに記憶するとともに、表示部２３に表示させたり、ＬＥＤ３７にて報知したりする。マイクロコンピュータ４０の制御対象には、ロータリートレイ３１の回転動作、ディスク交換扉２４の開閉動作、ディスククランプ３３のディスク搬送動作、ディスクＤの再生動作、ディスクセンサ３４によるディスクＤの有無検出動作、表示部２３の駆動等が含まれる。
なお、マイクロコンピュータ４０は、再生制御手段としての機能を有する。
【００２６】
扉開閉モータドライバ４３は、マイクロコンピュータ４０から出力される開閉制御信号に基づいて、扉開閉モータ４９を駆動し、再生装置１の操作パネル２１に設けられるディスク交換扉２４の開閉を行う。
【００２７】
ロータリートレイ制御モータドライバ４３は、マイクロコンピュータ４０から出力される駆動制御信号に基づいて、ロータリートレイモータ３２を駆動し、ロータリートレイ３１の回転動作を行う。
【００２８】
ディスククランプ制御モータドライバ４５は、マイクロコンピュータ４０から出力された制御信号に基づいてディスククランプ３３を駆動し、ディスククランプ３３によるディスクＤのクランプ、及び再生位置へのディスクＤの搬送といった動作を行う。
【００２９】
ＤＳＰ（Digital Signal Processor）４６は、後述するピックアップユニット４７から出力される符号化デジタルデータを、ディスクの記録方式に対応した復号化方式で復号化し、マイクロコンピュータ４０が処理可能なデータ形式に変換してマイクロコンピュータ４０に出力する。
【００３０】
ピックアップユニット４７は、再生位置にセットされたディスクＤに記録された符号化デジタルデータを読み取り、ＤＳＰ４６に出力する。
【００３１】
次に、本発明を適用した再生装置１の動作を説明する。
図４及び図５は、再生装置１によるディスク再生処理を示すフローチャートである。図４及び図５に示すように、再生装置１のマイクロコンピュータ４０は、ディスク再生処理において、まず操作部２２よりオープンキーの操作信号が入力されたか否かを判別し（ステップＳ１）、入力がない場合には（ステップＳ１；ＮＯ）入力されるまで待機し、入力されると（ステップＳ１；ＹＥＳ）、ディスク交換扉２４を開け（ステップＳ２）、ＲＡＭに記憶していたディスク有無データをクリアする（ステップＳ３）。
【００３２】
次いで、マイクロコンピュータ４０は、ディスク交換扉２４の中央に位置しているストッカ３１Ａのディスク番号をＡと定める（ステップＳ４）。ここで、ディスク番号とは、ディスク収納部３０内のディスクＤ及びこれを収納するストッカ３１Ａを識別するためにストッカ３１Ａに付された番号であり、例えば、２００枚のディスクを収納可能な場合には、ディスク番号は１〜２００の整数となる。
【００３３】
続いて、マイクロコンピュータ４０は、操作部２２よりクローズキーの操作信号が入力されたか否かを判別し（ステップＳ５）、入力されない場合には（ステップＳ５；ＮＯ）、操作部２２より再生キーの操作信号が入力されたか否かをさらに判別し（ステップＳ６）、入力があれば（ステップＳ６；ＹＥＳ）、ディスク交換扉２４を閉めて（ステップＳ７）、ステップＳ２７に移行する。ステップＳ６において、再生キーの操作信号が入力されない場合には（ステップＳ６；ＮＯ）、操作部２２よりＤｉｓｃＵｐキーの操作信号が入力されたか否かをさらに判別する（ステップＳ８）。
【００３４】
ここで、ＤｉｓｃＵｐキーの操作信号が入力されると（ステップＳ８；ＹＥＳ）、マイクロコンピュータ４０は、ディスク番号Ａが最大ディスク番号であるか否かを判別する（ステップＳ９）。この最大ディスク番号とは、各ストッカ３１Ａに付されたディスク番号の内、最大の番号であり、例えば、２００収納可能である場合には２００とする。
【００３５】
ステップＳ９において、ディスク番号Ａが最大ディスク番号である場合には（ステップＳ９；ＹＥＳ）、ディスク番号１のストッカ３１Ａ内のディスクＤを再生対象とし（ステップＳ１０）、最大ディスク番号ではない場合には（ステップＳ９；ＮＯ）、ディスク番号Ａ＋１のディスク番号のストッカ３１Ａ内のディスクＤを再生対象にして（ステップＳ１１）、ステップＳ１６に移行する。
【００３６】
ステップＳ８において、ＤｉｓｃＵｐキーの操作信号が入力されない場合には（ステップＳ８；ＮＯ）、マイクロコンピュータ４０は、操作部２２よりＤｉｓｃＤｏｗｎキーの操作信号が入力されたか否かを判別し（ステップＳ１２）、入力されない場合は（ステップＳ１２；ＮＯ）、ステップＳ５に戻る。一方、ＤｉｓｃＤｏｗｎキーの操作信号が入力されると（ステップＳ１２；ＹＥＳ）、ディスク番号Ａがディスク番号１であるか否かを判別し（ステップＳ１３），ディスク番号１である場合は（ステップＳ１３；ＹＥＳ）、最大ディスク番号のストッカ３１Ａ内のディスクＤを再生対象とし（ステップＳ１４）、ディスク番号１ではない場合には（ステップＳ１３；ＮＯ）、ディスク番号Ａ−１のディスク番号のストッカ３１Ａ内のディスクＤを再生対象にして（ステップＳ１５）、ステップＳ１６に移行する。
【００３７】
マイクロコンピュータ４０は、ステップＳ１６において、ストッカ３１Ａがディスク交換扉２４の中央に移動するまでロータリートレイ３１を回転させ、ステップＳ５に戻る。
【００３８】
ステップＳ５において、マイクロコンピュータ４０は、操作部２２よりクローズキーの操作信号が入力されると（ステップＳ５；ＹＥＳ）、ディスク交換扉２４を閉じて（ステップＳ１７）、ＤｉｓｃＵｐキーの操作信号が入力されたか否かをさらに判別する（ステップＳ１８）。ＤｉｓｃＵｐキーの操作信号が入力されると（ステップＳ１８；ＹＥＳ）、ディスク番号Ａが最大ディスク番号であるか否かを判別し（ステップＳ１９）、最大ディスクである場合には（ステップＳ１９；ＹＥＳ）、ディスク番号１のストッカ３１Ａ内のディスクＤを再生対象とし（ステップＳ２０）、最大ディスクではない場合には（ステップＳ１９；ＮＯ）、ディスク番号Ａ−１のディスク番号のストッカ３１Ａ内のディスクＤを再生対象にして（ステップＳ２１）、ステップＳ１８に戻る。
【００３９】
一方、ステップＳ１８においてＤｉｓｃＵｐキーの操作信号の入力がない場合には（ステップＳ１８；ＮＯ）、マイクロコンピュータ４０は、操作部２２よりＤｉｓｃＤｏｗｎキーの操作信号の入力があるか否かを判別し（ステップＳ２２）、入力があると（ステップＳ２２；ＹＥＳ）、ディスク番号Ａがディスク番号１であるか否かをさらに判別する（ステップＳ２３）。ここで、ディスク番号１であれば（ステップＳ２３；ＹＥＳ）、最大ディスク番号のストッカ３１Ａ内のディスクＤを再生対象にして（ステップＳ２４）、ディスク番号１でない場合には（ステップＳ２３；ＮＯ）、ディスク番号Ａ−１のストッカ３１Ａ内のディスクＤを再生対象にして（ステップＳ２５）、ステップＳ１８に戻る。
【００４０】
また、上記ステップＳ２２において、ＤｉｓｃＤｏｗｎキーの操作信号が入力されない場合は（ステップＳ２２；ＮＯ）、マイクロコンピュータ４０は、操作部２２からの再生キーの操作信号の入力の有無をさらに判別し（ステップＳ２６）、入力がないと（ステップＳ２６；ＮＯ）、ステップＳ１８に戻り、入力があると（ステップＳ６；ＹＥＳ）、ステップＳ２７に移行する。
【００４１】
マイクロコンピュータ４０は、ステップＳ２７において、ロータリートレイ３１を回転させて、ディスクセンサ３４の前を通過する各ストッカ３１Ａ内のディスクＤの有無を検出する（ステップＳ２８）。次いで、ステップＳ２０，Ｓ２１，Ｓ２４，Ｓ２５において再生対象とされたディスク番号のストッカ３１Ａが、ディスクセンサ３４の前を通過したか否かを判別し（ステップＳ２９）、通過していなければ（ステップＳ２９；ＮＯ）、ステップＳ２８に戻り、通過すると（ステップＳ２９；ＹＥＳ）、再生対象のディスクＤの有無を判別する（ステップＳ３０）。
【００４２】
ここで、再生対象のディスクＤがない場合は（ステップＳ３０；ＮＯ）、マイクロコンピュータ４０は、全てのストッカ３１ＡにおけるディスクＤの有無検出を終了したか否かを判別し（ステップＳ３１）、終了した場合は（ステップＳ３１；ＹＥＳ）、ディスクが収納部３０に収納されていないことを検出し（ステップＳ３２）、ロータリートレイ３１の回転を停止させ（ステップＳ３３）、ディスク再生処理を終了する。一方、ディスクＤの有無検出を終了していない場合は（ステップＳ３１；ＮＯ）、再生対象のディスク番号が最大ディスク番号であるか否かを判別する（ステップＳ３４）。
【００４３】
ここで、最大ディスク番号であれば（ステップＳ３４；ＹＥＳ）、再生対象ディスク番号＋１のディスク番号を新たな再生対象にして（ステップＳ３５）、ステップＳ２８に戻る。また、最大ディスク番号でなければ（ステップＳ３４；ＮＯ）、再生対象ディスク番号＋１のディスク番号のディスクＤを再生対象にして（ステップＳ３６）、ステップＳ２８に戻る。
【００４４】
上記ステップＳ３０において、再生対象のディスクＤがある場合は（ステップＳ３０；ＹＥＳ）、マイクロコンピュータ４０は、ディスク番号Ａのストッカ３１Ａがディスククランプ３３まで、すなわちローディング位置まで到達したか否かを判別する（ステップＳ３７）。ローディング位置に到達していない場合は（ステップＳ３７；ＮＯ）、ステップＳ３７に留まり到達するまで待機する。一方、ローティング位置に到達した場合は（ステップＳ３７；ＹＥＳ）、ロータリートレイ３１の回転を停止させ（ステップＳ３９）、再生対象のディスクＤをローディングし（ステップＳ４０）、ディスク再生を開始する（ステップＳ４１）。
【００４５】
次いで、マイクロコンピュータ４０は、ディスク収納部３０に収納されたすべてのディスクＤの有無検出が終了したか否かを判別する（ステップＳ４２）。終了していない場合は（ステップＳ４２；ＮＯ）、ロータリートレイ３１を回転させ（ステップＳ４３）、ディスクセンサ３４の前を通過したストッカ３１ＡのディスクＤの有無検出を行って（ステップＳ４４）、ステップＳ４２に戻る。一方、すべてのディスクＤの有無検出が終了した場合には（ステップＳ４２；ＹＥＳ）、ロータリートレイ３１の回転を停止させ（ステップＳ４５）、ディスク再生処理を終了する。
【００４６】
以上説明したように、上記実施の形態によれば、再生装置１のマイクロコンピュータ４０は、操作部２２から入力される操作信号に基づいてディスク再生処理を実行する。ディスク再生処理において、マイクロコンピュータ４０は、再生すべきディスク番号が付されたストッカ３１ＡにおけるディスクＤの有無を判別し、ディスクＤがあれば再生し、なければその他のディスクＤの有無検出を行い、ディスクＤの存在を検出すると、ディスク再生を行う。また、ディスク再生開始後に、有無検出を行っていないその他のディスクＤの有無検出を行う。
【００４７】
したがって、本発明を適用した再生装置１によれば、マイクロコンピュータ４０は、再生すべきディスクＤの有無検出を行った後、ディスクＤの再生を開始するとともに、再生装置１のディスク収納部３０内のその他のディスクＤの有無検出を行い、ディスクＤの有無検出が済んでいないストッカ３１ＡからはディスクＤのローディングを行わないため、ディスク再生までにかかる余分な時間を短縮し、ユーザにとっての利便性を向上させることが可能である。
【００４８】
また、ディスクＤの再生開始後、再生中にその他のディスクの有無検出を行うことにより、ディスクの有無検出を行うために余分な時間がかからず、ロータリートレイ３１を低速で回転させることもできる。さらに、ロータリートレイ３１を低速回転させれば、ディスクの有無検出精度を向上できるだけでなく、回転により発生する振動を抑え、振動がディスク再生に与える影響を軽減することが可能である。
【００４９】
なお、本発明は、本実施の形態に限定されるものではなく、本発明の趣旨を逸脱しない範囲で適宜変更可能である。例えば、上記の実施の形態においては、ディスク再生開始後に、ディスク収納部３０に収納されたその他のディスクＤすべての有無検出を行うこととしたが、この有無検出範囲は限定されるものではない。ディスク再生時間に応じて有無検出範囲を動的に変化させることとしてもよいし、有無検出を行うディスクＤの数量及びディスク番号をユーザが設定することとしてもよい。この場合には、マイクロコンピュータ４０は、有無検出を行ったディスクＤのディスク番号をＲＡＭ内に記憶しておく。
【００５０】
また、ロータリートレイ３１の回転方向は一方向である必要はなく、再生を指示されたストッカ３１Ａとディスクセンサ３４との位置関係から、より近い方向へ回転制御することも可能である。このとき、回転方向に応じて、ストッカ３１Ａ内のディスクＤの有無検出に至るまでにディスクＤの有無検出が行われる、その他のストッカ３１Ａは異なるが、再生を指示されたストッカ３１ＡにディスクＤがないことが検出された場合には、ディスク有りと判別されたその他のストッカ３１Ａ内のディスクＤを再生対象としてもよい。
【００５１】
その他、本実施の形態における再生装置１の細部構成、及び詳細動作に関しても、本発明の趣旨を逸脱しない範囲で適宜変更可能である。
【００５２】
【発明の効果】
したがって、本発明によれば、ディスク再生までにかかる余分な時間を短縮し、ユーザにとって利便性の高い再生装置を提供することができる。
【図面の簡単な説明】
【図１】本発明の一実施の形態における再生装置１の全体構成を示す概略図である。
【図２】再生装置１に内設されるディスク収納部３０の概略構成を示す図である。
【図３】本発明の一実施の形態による再生装置１の内部構成を示すブロック図である。
【図４】図３のマイクロコンピュータ４０によるディスク再生処理を示すフローチャートである。
【図５】図３のマイクロコンピュータ４０によるディスク再生処理を示すフローチャートである。
【図６】従来の再生装置のディスク収納部３０の概略構成を示す図である。
【符号の説明】
１，２  再生装置
２１  操作パネル
２２  操作部
２３  表示部
２４  ディスク交換扉
３０  ディスク収納部
３１  ロータリートレイ
３１Ａ  ストッカ
３２  ロータリートレイモータ
３３  ディスククランプ
３４  ディスクセンサ
３５  基板
３６  ストッパ
３７  ＬＥＤ
４０  マイクロコンピュータ
４３  扉開閉モータドライバ
４４  ロータリートレイ制御モータドライバ
４５  ディスククランプ制御モータドライバ
４６  ＤＳＰ
４７  ピックアップユニット
４９  扉開閉モータ
【図１】
0003751240.tif 000002
【図２】
0003751240.tif 000003
【図３】
0003751240.tif 000004
【図４】
0003751240.tif 000005
【図５】
0003751240.tif 000006
【図６】
0003751240.tif 000007